【手続補正書】
【提出日】平成28年1月20日(2016.1.20)
【手続補正１】
【補正対象書類名】特許請求の範囲
【補正対象項目名】全文
【補正方法】変更
【補正の内容】
【特許請求の範囲】
【請求項１】
ＯＳカーネル層のオペレーティングシステムによって動作し、アプリケーション層に備えられるアプリケーションによって所定の処理を実行する、物理層に設けられた通信ポートを備えたコンピューターに、前記アプリケーションから前記通信ポートへ出力される印刷データにコマンドを付加する処理を実行させる印刷制御プログラムであって、
前記コンピューターが、前記アプリケーションから出力される、あるいは、前記アプリケーションからプリンタードライバーを介して出力される前記印刷データを、前記通信ポートが受け取る前に、前記ＯＳカーネル層で取得するデータ取得工程と、
前記コンピューターが、前記アプリケーション層で、前記データ取得工程において取得された印刷データの各コマンドについて解析し、当該解析の結果に基づいて、前記印刷データの各コマンドが標準速度とは異なる速度で印刷すべき印刷オブジェクトの印刷を指示する所定のコマンドであるか否かを判定するデータ解析工程と、
前記コンピューターが、前記アプリケーション層で、前記データ解析工程において判定された印刷データの各コマンドについて、前記所定のコマンドであると判定された場合には当該所定のコマンドの前に印刷速度を変更するコマンドを付加し、前記所定のコマンドでないと判定された場合にはコマンドを付加しない、コマンド付加処理を実行し、当該処理後の印刷データを前記通信ポートへ出力するデータ処理工程と、を有する
ことを特徴とする印刷制御プログラム。
【請求項２】
請求項１において、
前記データ処理工程は、前記所定のコマンドであると判定された場合に、さらに、当該所定のコマンドの後に印刷速度を標準速度に戻すコマンドを付加する処理を含む
ことを特徴とする印刷制御プログラム。
【請求項３】
請求項１又は２において、
印刷速度を標準速度とは異なる２つ以上の速度に変更可能である場合に、前記所定のコマンドであると判定された場合に付加されるコマンドは、当該所定のコマンドによって印刷が指示される印刷オブジェクトに相応した印刷速度に変更するコマンドである
ことを特徴とする印刷制御プログラム。
【請求項４】
請求項１乃至３のいずれか一項において、
前記所定のコマンドは、文字及び又は数字の情報を図形パターンとして表現したコードの印刷を指示するコマンドである
ことを特徴とする印刷制御プログラム。
【請求項５】
請求項４において、
前記コードは、１次元コード又は２次元コードである
ことを特徴とする印刷制御プログラム。
【請求項６】
ＯＳカーネル層のオペレーティングシステムによって動作し、アプリケーション層に備えられるアプリケーションによって所定の処理を実行する、物理層に設けられた通信ポートを備えたコンピューターで構成され、前記アプリケーションから前記通信ポートへ出力される印刷データにコマンドを付加する処理を実行する印刷制御装置であって、
前記アプリケーションから出力される、あるいは、前記アプリケーションからプリンタードライバーを介して出力される前記印刷データを、前記通信ポートが受け取る前に、前記ＯＳカーネル層で取得するデータ取得部と、
前記アプリケーション層で、前記取得された印刷データの各コマンドについて解析し、当該解析の結果に基づいて、前記印刷データの各コマンドが標準速度とは異なる速度で印刷すべき印刷オブジェクトの印刷を指示する所定のコマンドであるか否かを判定するデータ解析部と、
前記アプリケーション層で、前記判定された印刷データの各コマンドについて、前記所定のコマンドであると判定された場合には当該所定のコマンドの前に印刷速度を変更するコマンドを付加し、前記所定のコマンドでないと判定された場合にはコマンドを付加しない、コマンド付加処理を実行し、当該処理後の印刷データを前記通信ポートへ出力するデータ処理部と、を有する
ことを特徴とする印刷制御装置。
【請求項７】
請求項６において、
前記データ処理部は、前記データ解析部により前記所定のコマンドであると判定された場合に、さらに、当該所定のコマンドの後に印刷速度を標準速度に戻すコマンドを付加する処理を含む
ことを特徴とする印刷制御装置。
【請求項８】
請求項６又は７において、
印刷速度を標準速度とは異なる２つ以上の速度に変更可能である場合に、前記所定のコマンドであると判定された場合に付加されるコマンドは、当該所定のコマンドによって印刷が指示される印刷オブジェクトに相応した印刷速度に変更するコマンドである
ことを特徴とする印刷制御装置。
【請求項９】
請求項６乃至８のいずれか一項において、
前記所定のコマンドは、文字及び又は数字の情報を図形パターンとして表現したコードの印刷を指示するコマンドである
ことを特徴とする印刷制御装置。
【請求項１０】
請求項９において、
前記コードは、１次元コード又は２次元コードである
ことを特徴とする印刷制御装置。
【請求項１１】
ＯＳカーネル層のオペレーティングシステムによって動作し、アプリケーション層に備えられるアプリケーションによって所定の処理を実行する、物理層に設けられた通信ポートを備えたコンピューターにおいて、前記アプリケーションから前記通信ポートへ出力される印刷データにコマンドを付加する処理を実行する印刷制御方法であって、
前記コンピューターが、前記アプリケーションから出力される、あるいは、前記アプリケーションからプリンタードライバーを介して出力される前記印刷データを、前記通信ポートが受け取る前に、前記ＯＳカーネル層で取得するデータ取得工程と、
前記コンピューターが、前記アプリケーション層で、前記データ取得工程において取得された印刷データの各コマンドについて解析し、当該解析の結果に基づいて、前記印刷データの各コマンドが標準速度とは異なる速度で印刷すべき印刷オブジェクトの印刷を指示する所定のコマンドであるか否かを判定するデータ解析工程と、
前記コンピューターが、前記アプリケーション層で、前記データ解析工程において判定された印刷データの各コマンドについて、前記所定のコマンドであると判定された場合には当該所定のコマンドの前に印刷速度を変更するコマンドを付加し、前記所定のコマンドでないと判定された場合にはコマンドを付加しない、コマンド付加処理を実行し、当該処理後の印刷データを前記通信ポートへ出力するデータ処理工程と、を有する
ことを特徴とする印刷制御方法。
【請求項１２】
請求項１１において、
前記データ処理工程は、前記所定のコマンドであると判定された場合に、さらに、当該所定のコマンドの後に印刷速度を標準速度に戻すコマンドを付加する処理を含む
ことを特徴とする印刷制御方法。
【請求項１３】
請求項１１又は１２において、
印刷速度を標準速度とは異なる２つ以上の速度に変更可能である場合に、前記所定のコマンドであると判定された場合に付加されるコマンドは、当該所定のコマンドによって印刷が指示される印刷オブジェクトに相応した印刷速度に変更するコマンドである
ことを特徴とする印刷制御方法。
【請求項１４】
請求項１１乃至１３のいずれか一項において、
前記所定のコマンドは、文字及び又は数字の情報を図形パターンとして表現したコードの印刷を指示するコマンドである
ことを特徴とする印刷制御方法。
【請求項１５】
請求項１４において、
前記コードは、１次元コード又は２次元コードである
ことを特徴とする印刷制御方法。